(57)【要約】【課題】雄ネジ部・雌ネジ部のネジ止めによりカバーと本体とを組み付ける筐体構造において、異物がネジ山に誤って接触する可能性を低減した筐体構造を提供する。【解決手段】ガード５を少なくとも雌ネジ部２１を周状に覆うよう構成されるとともに、ガード５と雌ネジ部２１との間は、本体１における雄ネジ部１１および、雄ネジ部１１が形成された突部１２が挿入可能な程度に離間して設ける。またはガード５の下端をばね６の一端で支持するとともに、ばね６の他端は本体２に当接するよう構成する。【選択図】図３
2014072382.tif 000002
【特許請求の範囲】
【請求項１】
少なくとも一部が開口した箱体と、前記開口に対応する蓋体とを有し、
前記箱体及び前記蓋体は、前記箱体の開口部側面と、前記蓋体のうち前記開口部側面に対向する面にそれぞれネジ構造を有すると共に、
前記ネジ構造を用いて前記箱体及び前記蓋体を羅合してなる筐体構造において、
前記箱体に備えられたネジ構造を周状に覆う保護部材を前記箱体に設けたことを特徴とする筐体構造。
【請求項２】
前記保護部材の一端が前記蓋体の一部と当接するとともに、
前記箱体は更に前記保護部材の他端と当接する弾性体を有し、
前記蓋体と前記箱体を羅合するに際して、前記蓋体が前記保護部材を、前記弾性体を圧縮する方向に押圧することにより、前記保護部材を当該保護部材が覆うネジ構造位置から移動せしめるよう構成されたことを特徴とする、請求項１記載の筐体構造。
【請求項３】
前記蓋体は前記保護部材の一端と当接する突起部を有するとともに、
前記蓋体と前記箱体を羅合するに際して、前記突起部が前記保護部材を、前記弾性体を圧縮する方向に押圧することにより、前記保護部材を当該保護部材が覆うネジ構造位置から移動せしめるよう構成されたことを特徴とする、請求項２記載の筐体構造。
【発明の詳細な説明】
【技術分野】
【０００１】
本発明は筐体構造に関し、より詳しくは、ネジ機構を用いて組立を行う筐体の構造に関するものである。
【背景技術】
【０００２】
図６に示すように、従来より例えば電子機器などを内部に収納する目的で、両端が閉鎖された中空の円筒管状に筐体を形成するにあたり、当該円筒管を形成するにあたってその一端面を構成する部位、即ちカバー１と、他面を構成する部位、即ち本体２とにそれぞれ、円周方向に刻まれた雄ネジ部１１・雌ネジ部２１を設け、互いにネジ止めすることで当該円筒管を形成する手法が広く用いられている（特許文献１）。
【０００３】
ここで、収納物を電子機器（図示せず）が搭載された電子基板３とし、当該筐体を電子基板３の保護目的で用いるものと見た場合、通常は電子基板３を筐体の一部に固定する必要がある。図６においてはネジ４を用いて電子基板３を本体２に固定している。
【０００４】
このとき、筐体を組み立てるにあたっては、まず本体２内に電子基板３を収納し、ネジ４をネジ止めしたうえで本体２にカバー１を取り付ける必要があるが、収納物である電子基板３に対して平易な作業を行う時、例えば電子基板３上に設けられた切り替えスイッチを操作したり、基板上に設けられたコネクタに別途のプラグを挿入したりする等の作業を行う際、本体２から電子基板３を取り外すことなく、手を直接に本体２内に入れ、当該作業を行うことが考えられる。しかしこの際、雌ネジ部２１に誤って作業者の手があたった場合、雌ネジ部２１のネジ山で怪我をするおそれがある。特に筐体がステンレス等の金属で形成されており、かつネジ山の面取りが不十分である場合、ネジ山が比較的鋭利なまま用いることになるため、その危険性が高くなる。同様の問題は電子基板３を収納する段階や、ネジ４により電子基板３をネジ止めする際など何等かの作業を行う場合、同様に発生する可能性を有する。一方で筐体がプラスチック樹脂など、比較的柔らかい材料で形成されていた場合は前述のような問題は生じにくいものの、同様にネジ止め等を行う際、誤って工具がネジ山に接触するなどしてネジ山自体を破損し、使用困難となるおそれがあった。また、ネジ構造の回転を滑らかにするためにグリース等の潤滑材を塗布した場合、これが手や工具等につき、汚れてしまうおそれがあった。
【先行技術文献】
【特許文献】
【０００５】
【特許文献１】特開２００４−７２３３号公報
【発明の概要】
【発明が解決しようとする課題】
【０００６】
上記を鑑みて本発明は、雄ネジ部１１・雌ネジ部２１のネジ止めによりカバー１と本体２とを組み付ける筐体構造において、異物がネジ山に誤って接触する可能性を低減させることを目的とする。
【課題を解決するための手段】
【０００７】
本発明の請求項１に係る筐体構造は、少なくとも一部が開口した箱体と、前記開口に対応する蓋体とを有し、前記箱体及び前記蓋体は、前記箱体の開口部側面と、前記蓋体のうち前記開口部側面に対向する面にそれぞれネジ構造を有すると共に、前記ネジ構造を用いて前記箱体及び前記蓋体を羅合してなる筐体構造において、前記箱体に備えられたネジ構造を周状に覆う保護部材を前記箱体に設けたことを特徴とするものである。
【０００８】
本発明の請求項２に係る筐体構造は、請求項１記載の筐体構造において更に、前記保護部材の一端が前記蓋体の一部と当接するとともに、前記箱体は更に前記保護部材の他端と当接する弾性体を有し、前記蓋体と前記箱体を羅合するに際して、前記蓋体が前記保護部材を、前記弾性体を圧縮する方向に押圧することにより、前記保護部材を当該保護部材が覆うネジ構造位置から移動せしめるよう構成されたことを特徴とするものである。
【０００９】
そして本発明の請求項３に係る筐体構造は、請求項２記載の筐体構造において更に、前記蓋体は前記保護部材の一端と当接する突起部を有するとともに、
前記蓋体と前記箱体を羅合するに際して、前記突起部が前記保護部材を、前記弾性体を圧縮する方向に押圧することにより、前記保護部材を当該保護部材が覆うネジ構造位置から移動せしめるよう構成されたことを特徴とするものである。
【発明の効果】
【００１０】
本発明によれば、雄ネジ部１１・雌ネジ部２１のネジ止めによりカバー１と本体２とを組み付ける筐体構造において、異物がネジ山に誤って接触する可能性を低減した筐体構造を提供することが可能となる。
【図面の簡単な説明】
【００１１】
【図１】本発明第一の実施例に係る筐体構造を示す断面図である。
【図２】本発明第二の実施例に係る筐体構造を示す断面図である。
【図３】本発明第二の実施例に係る筐体構造について、組み立てた状態を示す断面図である。
【図４】本発明他の実施例に係る筐体構造について、組み立てた状態を示す断面図である。
【図５】本発明他の実施例に係る筐体構造について、組み立てた状態を示す断面図である。
【図６】従来の筐体構造を示す断面図である。
【発明を実施するための形態】
【実施例１】
【００１２】
図１は、本発明に係る筐体構造の第１の実施例を示す断面図である。なお、既に説明した従来構造と同等の箇所については同一の符号を付して説明を省略する。図１において、５は本体２に一体に組みつけられたガードである。
【００１３】
ガード５は、少なくとも雌ネジ部２１を周状に覆うよう構成されるとともに、ガード５と雌ネジ部２１との間は、本体１における雄ネジ部１１および、雄ネジ部１１が形成された突部１２が挿入可能な程度に離間して設けられる。本実施例においてはガード５を本体２と別部材として形成し、例えばネジ４によって電子基板３とともに本体２に組み付ける構造を図示しているが、これに限らず、例えば本体２の成型に際して予め一体に成型しても構わない。但し、この場合は成型後に電子基板３等の収容物を出し入れ可能なよう、十分な広さの開口部を設ける必要がある。
【００１４】
このようなガード５を設けることにより、本体２の開口部に直接手を入れるなどした際に、誤って雌ネジ部２１に接触する可能性を低くすることが可能となる。
【実施例２】
【００１５】
続いて、本発明に係る第２の実施例について説明する。前述した第１の実施例においてはガード５を本体２に取り付けるにあたり、ガード５と雌ネジ部２１との間は、本体１における雄ネジ部１１および、雄ネジ部１１が形成された突部１２が挿入可能な程度に離間させる必要があった。このため、ガード５を取り付けた状態において電子基板３に対し、例えば基板上に設けられた切替スイッチの操作等の作業を行おうとした場合であっても、図１中の二点鎖線で示した空間内で措置を行うほかなく、利便性に乏しい面があった。
【００１６】
これに対し本実施の形態においては図２に示すように、ガード５の下端をばね６の一端で支持するとともに、ばね６の他端は本体２に当接するよう構成したものである。図３は本体２にカバー１を取り付けた状態を示す断面図である。この取り付けに際しては、まずカバー１の突部１２がガード５に当接し、この状態で雄ネジ部１１、雌ネジ部２１の螺合に伴ってばね６を圧縮する方向の力が作用することで、突部１２がカバー５を図中下方向に押下げる。即ち、カバー１を本体２に羅合させるにあたり、カバー１と本体２とを相対的に１回転させることで、雄ネジ部１１、雌ネジ部２１のネジピッチ分だけガード５が押下げられるとともに、ばね６が圧縮することとなる。
【００１７】
逆にカバー１を本体２から取り外す場合は、カバー１と本体２とを、取り付け時とは逆方向に相対的に１回転させることで、雄ネジ部１１、雌ネジ部２１のネジピッチ分だけカバー１と本体２とが離間することになる。このとき、ガード５にはばね６からの反発力が作用するので、ガード５はカバー１と本体２との離間に同期して押し上げられ、ばね６の圧縮量もまた減少する。
【００１８】
このように構成すれば、図２に示すように本体２からカバー１を取り外している間はカバー５が雌ネジ部２１を覆い、実施例１と同様の効果を得ることが可能であるとともに、電子基板３に対する作業スペースを広く取ることが可能となるほか、ばね６の反発力がガード５を介してカバー１に加えられるとともに、この力が雄ネジ部１１と雌ネジ部２１の座面を相互に押し付けあうものとして作用するため、カバー１と本体２との隙間をより密に閉じることが可能となる。更に、カバー１と本体２とを取り外す際、何らの特別な操作を行わなくともガード５が雌ネジ部２１を自動的に覆うため、利用者の負担となることがない。
【００１９】
なお、本実施の形態においては突部１２がガード５に当接するとともにこれを押下げる構成としたが、これに限らず、例えば図４に示すようにカバー１における突部以外の箇所がカバー５に当接するよう構成しても構わない。
【００２０】
また、上述した実施の形態においてはカバー１に雄ネジ部１１が、本体２に雌ネジ部２１がそれぞれ設けられている構造について述べたが、これに限らず、例えば図５のように、カバー１に雌ネジ部１１２を、本体２に雄ネジ部２１２をそれぞれ設ける構造としても良い。また、筐体内に収納する物品についても電子基板に限らないことは言うまでもない。
【産業上の利用可能性】
【００２１】
以上の通り、本発明によれば、雄ネジ部・雌ネジ部のネジ止めによりカバーと本体とを組み付ける筐体構造において、異物がネジ山に誤って接触する可能性を低減した筐体構造を提供することが可能となる。
【符号の説明】
【００２２】
１  カバー
２  本体
３  電子基板
４  ネジ
５  ガード
６  ばね
１１、２１２  雄ネジ部
２１，１１２  雌ネジ部
１２  突部
【図１】
2014072382.tif 000003
【図２】
2014072382.tif 000004
【図３】
2014072382.tif 000005
【図４】
2014072382.tif 000006
【図５】
2014072382.tif 000007
【図６】
2014072382.tif 000008